(57)【要約】【課題】断水し逆止弁にゴミが付着しても浴槽水が水道側に逆流しない機器への注湯装置を提供することを目的とする。【解決手段】水道水を供給する注水弁３と、湯を供給する注湯弁４と、水・湯回路への逆流を防止する逆止弁５と、浴槽水６を供給する浴槽水供給回路７と浴槽水循環回路８を切り換える流路切り換え弁９と、浴槽水を搬送する循環ポンプ１０と、流路切り換え弁の上流側に設け、断水時に開放される大気開放弁を有する逆流防止装置１１とを備えたもので、断水時には逆流防止装置の大気開放弁が開放されて浴槽水が排水され、水道側に逆流することはない。【選択図】　図１
2004044834.tif 000002
【特許請求の範囲】
【請求項１】
水道水を供給する注水弁と、湯を供給する注湯弁と、水・湯回路への逆流を防止する逆止弁と、浴槽水を供給する浴槽水供給回路と浴槽水循環回路を切り換える流路切り換え弁と、浴槽水を搬送する循環ポンプと、前記流路切り換え弁の上流側に設け、断水時に開放される大気開放弁を有する逆流防止装置とを備えた機器への注湯装置。
【請求項２】
逆流防止装置の大気開放弁を手動で開閉できるようにした請求項１に記載の機器への注湯装置。
【請求項３】
大気開放弁は、水道元圧と逆流防止装置内を通過する水圧との圧力差、および逆流防止装置内を通過する水圧と大気圧との圧力差の合力により開閉する請求項１に記載の機器への注湯装置。
【請求項４】
大気開放弁に手動操作が可能な連結棒を設けた請求項２または３に記載の機器への注湯装置。
【発明の詳細な説明】
【０００１】
【発明の属する技術分野】
本発明は、水、給湯機からの湯、浴槽水等を洗濯機、洗浄装置、空調装置等へ供給する機器への注湯装置に関するものである。
【０００２】
【従来の技術】
従来、この種の機器への注湯装置は、図６に示す通り、給湯および浴槽水の循環加熱ができる給湯機１と、洗濯機等の機器２へ水を供給する注水弁３と、機器２へ湯を供給する注湯弁４と、水・湯回路への逆流を防止する逆止弁５と、浴槽水６を機器２へ供給する浴槽水供給回路７と浴槽６へ循環させる浴槽水循環回路８とを切り換える流路切り換え弁９と、給湯機１に組み込まれ浴槽水６を搬送する循環ポンプ１０とから構成されており、水、湯、浴槽水６のいずれかを機器２へ供給している。また、逆止弁５で浴槽水６が水道側に逆流するのを防止している。
【０００３】
【発明が解決しようとする課題】
しかしながら、従来の機器への注湯装置では、水道が断水し逆止弁５にゴミが噛み込んだ場合、浴槽水６を機器２に供給しようとすると、浴槽水６が水道へ逆流し、安全衛生上において非常に問題があった。
【０００４】
本発明は、上記従来の課題を解決するもので、断水し逆止弁にゴミが付着しても浴槽水が水道側に逆流しない機器への注湯装置を提供することを目的とするものである。
【０００５】
【課題を解決するための手段】
上記目的を達成するために、本発明の機器への注湯装置は、断水時に開放される大気開放弁を有する逆流防止装置を流路切り換え弁の上流側に設けたものである。
【０００６】
これにより、断水時には逆流防止装置の大気開放弁が開放され、浴槽から汲み上げた浴槽水を排水することができ、逆止弁にゴミが付着しても、浴槽水が水道側に逆流しないものである。
【０００７】
【発明の実施の形態】
請求項１に記載の発明は、水道水を供給する注水弁と、湯を供給する注湯弁と、水・湯回路への逆流を防止する逆止弁と、浴槽水を供給する浴槽水供給回路もしくは浴槽水循環回路を切り換える流路切り換え弁と、浴槽水を搬送する循環ポンプと、前記流路切り換え弁の上流側に設け、断水時に開放される大気開放弁を有する逆流防止装置とを備えた機器への注湯装置とすることにより、断水時には逆流防止装置の大気開放弁が開放され、浴槽から汲み上げた浴槽水を排水することができ、逆止弁にゴミが付着しても、浴槽水が水道側に逆流しないものである。
【０００８】
請求項２に記載の発明は、逆流防止装置の大気開放弁を手動で開閉できるようにした請求項１に記載の機器への注湯装置とすることにより、大気開放弁の固着を防止することができ逆流防止の信頼性が向上する。
【０００９】
請求項３に記載の発明は、大気開放弁は、水道元圧と逆流防止装置内を通過する水圧との圧力差、および逆流防止装置内を通過する水圧と大気圧との圧力差の合力により開閉する請求項１に記載の機器への注湯装置とすることにより、逆止弁の機能が阻害された状態で、断水等が発生した場合でも、逆流防止装置における圧力差の合力により大気開放弁が作用して負圧を開放させ、逆流を防止することができるものである。
【００１０】
請求項４に記載の発明は、大気開放弁に手動操作が可能な連結棒を設けた請求項２または３に記載の機器への注湯装置とすることにより、連結棒の手動操作により大気開放弁を容易に開閉することができ、大気開放弁の固着を防止し信頼性が向上する。
【００１１】
【実施例】
以下、本発明の実施例について図面を用いて説明する。
【００１２】
（実施例１）
図１は、本発明の実施例１における機器への注湯装置を示す。
【００１３】
図に示すように、給湯および浴槽水の循環加熱ができる給湯機１と、洗濯機等の機器２へ水を供給する注水弁３と、機器２へ湯を供給する注湯弁４と、水・湯回路への逆流を防止する逆止弁５と、浴槽水６を機器２へ供給する浴槽水供給回路７と浴槽６へ循環させる浴槽水循環回路８とを切り換える流路切り換え弁９と、流路切り換え弁９の上流に設けた逆流防止装置１１と、給湯機１に組み込まれ浴槽水６を搬送する循環ポンプ１０とから構成されている。その他、給水モードを選択するリモコンａ、給水モードにしたがって各弁および給湯機等を制御する制御装置ｂを有している。
【００１４】
図２は逆流防止装置１１の詳細を示しており、１２は圧力室で、水道元圧を導いている。１３は水道元圧を受けるダイアフラム、１４は断水時に開放される大気開放弁、１５は排水口、１６は止水スプリングで、水が無い場合のように他に力が殆どかからない場合にのみ大気開放弁１４を開く程度の小さな力に設定している。１７は浴槽水循環回路であり、図１の浴槽水循環回路８の一部を示している。
【００１５】
以上のように構成された機器への注湯装置について、以下その動作、作用を説明する。まず、水道水が通常に供給されている場合、注水弁３を開弁し機器２へ水を供給する。また、注湯弁４を開弁し機器２へ湯を供給する。さらに、流路切り換え弁９を浴槽水供給回路７側に切り換えて循環ポンプ１０を運転すると、機器２へ浴槽水６を供給する。この場合、水道元圧を導いている圧力室１２に水道元圧がかかり、浴槽水循環回路１７の圧力に打ち勝ちダイアフラム１３が浴槽水循環回路１７側に移動し大気開放弁１４が閉じられている。先に述べたように、止水スプリング１６は、大気開放弁１４を開く方向に付勢しているが小さな力に設定しているため、大気開放弁１４は開かない。
【００１６】
次に、水道が断水した場合、注水弁３を開弁しても何の変化も起きない。また、注湯弁４を開弁しても何の変化も起きない。また、流路切り換え弁９を浴槽水供給回路７に切り換え循環ポンプ１０を運転すると、水道元圧を導いている圧力室１２の圧力がなくなり、止水スプリング１６の力と、浴槽水循環回路１７の圧力によりダイアフラム１３が浴槽水循環回路１７から遠ざかる方向に移動し、大気開放弁１４が開き浴槽水６が排水口１５から逆流防止装置１１外に排出される。したがって、浴槽水６が水道側および給湯機１側に逆流することはなくなる。
【００１７】
（実施例２）
図３は、本発明の実施例２における機器への注湯装置の逆流防止装置を示す。
【００１８】
実施例１と異なる点は、大気開放弁１８に連結して大気開放弁１８を手動で開閉できる機能を有した連結棒１９を設けたことである。この連結棒１９の端部は逆流防止装置１１の外に突き出ており、これを定期的に手で操作させ大気開放弁１８を強制的に開閉することで、大気開放弁１８の固着を防止し、逆流防止の信頼性を向上するものである。
【００１９】
なお、大気開放弁１８を手動で開閉するため、連結棒１９を一体的に設けたが、その手段はこれに限られるものではなく、別設のピン等を用いて必要時に大気開放弁１８を操作するようにしてもよい。
【００２０】
（実施例３）
図４は、本発明の実施例３における機器への注湯装置の逆流防止装置を示す。
【００２１】
実施例１と異なる点は、大気開放弁２５が、水道元圧と逆流防止装置２０内を通過する水圧との圧力差、および逆流防止装置２０内を通過する水圧と大気圧との圧力差の合力により開閉するようになっていることである。
【００２２】
図において、２１は圧力室で、水道元圧を導いている。２２はダイアフラムＡで、水道元圧を受ける。２３は逆流防止装置２０内を通過する浴槽水の受圧空間である。２４はダイアフラムＢで、大気圧と逆流防止装置２０内を通過する浴槽水の受圧空間２３から圧力を受ける。２５は大気開放弁であり、ゴム等の弁体２６を有し、逆流防止装置２０内を通過する浴槽水の受圧空間２３に面している。２７は大気開放弁２５を開放する方向に付勢するばねである。このばね２７の力は、水が無い場合のように他に力が殆どかからない場合にのみ大気開放弁２５を開く程度の小さな力に設定している。ダイアフラムＡ２２とダイアフラムＢ２４と大気開放弁２５とは１本の軸２８で連結され、一体的に動作する。２９は排水口である。
【００２３】
以上のように構成された機器への注湯装置について、以下その動作、作用を説明する。まず、水道水が通常に供給されている場合、注水弁３を開弁し機器２へ水を供給する。また、注湯弁４を開弁し機器２へ湯を供給する。また、流路切り換え弁９を浴槽水供給回路７に切り換え、循環ポンプ１０を運転すると、逆流防止装置２０内を通過する受圧空間２３の圧力は、ダイアフラムＢ２４および大気開放弁２５に同時にかかるが、受圧面積がほぼ同等なので互いに打ち消し合う。一方、ダイアフラムＡ２２には水道元圧がかかり、ダイアフラムＢ２４には大気圧がかかるが、ダイアフラムＡ２２の受圧面積が大きいと共に、水道元圧が大気圧よりも大きいために、全体の合力は大気開放弁２５を閉じる方向に働き、機器２へ浴槽水６を供給する。ばね２７は、大気開放弁２５を開く方向に付勢しているが小さな力に設定しているため、大気開放弁２５は開かない。また、機器２で先止した場合は、逆流防止装置２０内を通過する受圧空間２３の圧力が循環ポンプ１０の締切り圧に上昇する。しかし、ダイアフラムＢ２４および大気開放弁２５に同時に圧力がかかり、その受圧面積がほぼ同等なので互いに打ち消し合う。一方、ダイアフラムＡ２２には水道元圧がかかり、ダイアフラムＢ２４には大気圧がかかるが、ダイアフラムＡ２２の受圧面積が大きいと共に、水道元圧が大気圧よりも大きいために、全体の合力は大気開放弁２５を閉じる方向に働き、機器２へ浴槽水６を供給する。
【００２４】
次に、水道が断水した場合、注水弁３を開弁しても何の変化も起きない。また、注湯弁４を開弁しても何の変化も起きない。また、流路切り換え弁９を浴槽水供給回路７に切り換え循環ポンプ１０を運転すると、逆流防止装置２０内を通過する受圧空間２３の圧力は、ダイアフラムＢ２４および大気開放弁２５に同時にかかるが、受圧面積がほぼ同等なので互いに打ち消し合う。一方、ダイアフラムＡ２２には水道元圧がかかるが、断水状態では圧力がなくなる。ダイアフラムＢ２４には大気圧がかかり、圧力がほぼ同等なので互いに打ち消し合う。そこで、ばね２７の力によって、大気開放弁２５が開き浴槽水６が排水口２９から排出される。したがって、浴槽水６が水道側および給湯機１側に逆流することはない。
【００２５】
（実施例４）
図５は、本発明の実施例４における機器への注湯装置の逆流防止装置を示す。
【００２６】
実施例３と異なる点は、大気開放弁３０に連結して大気開放弁３０を手動で開閉できる機能を有した連結棒３１を設けたことである。この連結棒３１の端部は逆流防止装置１１の外に突き出ており、これを定期的に手で操作させ大気開放弁３０を開閉することで、大気開放弁３０の固着を防止し、逆流防止の信頼性を向上するものである。なお、この実施例では、ダイアフラムＢ２４が大気圧を受ける開口２０ａを利用して連結棒３１の端部が突き出ており、合理的な構成となっている。
【００２７】
【発明の効果】
以上のように、本発明の機器への注湯装置によれば、断水時には逆流防止装置の大気開放弁が開放され、浴槽から汲み上げた浴槽水を排水することができ、逆止弁にゴミが付着しても、浴槽水が水道側に逆流しないものである。
【図面の簡単な説明】
【図１】本発明の実施例１における機器への注湯装置を示す全体構成図
【図２】同逆流防止装置の通常使用状態を示す断面図
【図３】本発明の実施例２における機器への注湯装置の逆流防止装置を示す断面図
【図４】本発明の実施例３における機器への注湯装置の逆流防止装置を示す断面図
【図５】本発明の実施例４における機器への注湯装置の逆流防止装置を示す断面図
【図６】従来例の注湯装置を示す全体構成図
【符号の説明】
１　給湯機
２　機器
３　注水弁
４　注湯弁
５　逆止弁
６　浴槽水
７　浴槽水供給回路
８　浴槽水循環回路
９　流路切り換え弁
１０　循環ポンプ
１１　逆流防止装置
１４　大気開放弁
【図１】
2004044834.tif 000003
【図２】
2004044834.tif 000004
【図３】
2004044834.tif 000005
【図４】
2004044834.tif 000006
【図５】
2004044834.tif 000007
【図６】
2004044834.tif 000008